(57)【要約】【課題】携帯電話からネットワークを介して、パソコン不要でリモコンを直接操作可能となり、低コストでウィルスやクラックによる被害を蒙る恐れが全くない携帯電話によるリモコン制御システムを提供する。【解決手段】携帯電話１から送出される被制御装置の制御信号を、ネットワーク２を介してモデム３で受信、復調する。モデム３により復調された制御信号はリモコン制御信号フォーマットに変換するアダプタ４を介してリモコン５に送出される。この制御信号を受信したリモコンは被制御装置７をリモコン制御する。【選択図】      図１
2005026953.tif 000002
【特許請求の範囲】
【請求項１】
携帯電話から送出される被制御装置の制御信号を、ネットワークを介して前記被制御装置が設置されている被制御側のモデムで受信、復調し、
前記モデムにより復調された制御信号を、リモコン制御信号フォーマットに変換するアダプタを介してリモコンに送出し、
前記制御信号を受信したリモコンが前記被制御装置を制御することを特徴とする携帯電話によるリモコン制御システム。
【請求項２】
携帯電話から送出される被制御装置の制御信号を、ネットワークを介して前記被制御装置が設置されている被制御側のモデムで受信、復調し、
前記モデムにより復調された制御信号をハブとリモコン制御信号フォーマットに変換するアダプタを介してリモコンに送出し、
前記制御信号を受信したリモコンが前記被制御装置を制御するとともに、前記ハブにはパソコンが接続されていることを特徴とする携帯電話によるリモコン制御システム。
【請求項３】
携帯電話から送出される被制御装置の制御信号を、ネットワークを介して前記被制御装置が設置されている被制御側のモデムで受信、復調し、
前記モデムにより復調された制御信号をハブとリモコン制御信号フォーマットに変換するアダプタを介してリモコンに送出し、
前記制御信号を受信したリモコンが前記被制御装置を制御するとともに、
前記アダプタには被制御装置／被監視装置が接続され、前記被制御装置／被監視装置の動作状態信号を前記ハブ、モデム及びネットワークを介して前記携帯電話に送出することを特徴とする携帯電話によるリモコン制御システム。
【請求項４】
前記ハブにはパソコンが接続されていることを特徴とする請求項３に記載の携帯電話によるリモコン制御システム。
【請求項５】
前記リモコンからの制御信号の送信は、赤外線信号や無線信号によるワイヤレスで行われることを特徴とする請求項１乃至４のいずれかに記載の携帯電話によるリモコン制御システム。
【請求項６】
前記携帯電話によりインターネットのＥＰＧ番組表提供サイトからＥＰＧ番組表データを取り込んでディスプレイに表示させ、表示されたＥＰＧ番組表から所望の番組を予約するための制御信号を送信し、前記制御信号により前記被制御装置としての録画装置を制御することを特徴とする請求項１乃至５のいずれかに記載の携帯電話によるリモコン制御システム。
【請求項７】
前記リモコンはタイマー機能を有することを特徴とする請求項１乃至６のいずれかに記載の携帯電話によるリモコン制御システム。
【請求項８】
前記リモコンは操作ロック機能を有し、前記操作ロック機能の動作時には、他のボタンを押すまでは制御信号を出力し続けること特徴とする請求項１乃至７のいずれかに記載の携帯電話によるリモコン制御システム。
【請求項９】
前記アダプタは、ブラウザ機能を内蔵することを特徴とする請求項１乃至８のいずれかに記載の携帯電話によるリモコン制御システム。
【発明の詳細な説明】
【０００１】
【発明の属する技術分野】
本発明は、携帯電話によるリモコン制御システムに関し、特に、パソコン等の介在なしに携帯電話によるリモコン機能を備えた携帯電話によるリモコン制御システムに関する。
【０００２】
【従来の技術】
家庭内に設置されている各種の家電製品をリモコンで制御するリモコン制御システムは、個々の家電製品に対応したリモコンを人間が操作するのが通常であり、したがって、テレビ、エアコン、照明器具等の複数の電気製品を制御するには対応する複数のリモコンが必要となる。
【０００３】
そこで、複数のリモコン機能を一台のリモコンに内蔵させ、この一台のリモコンを操作して複数の電気製品を個別に制御するシステムも実用化されている。
【０００４】
一方、インターネットの著しい発達に伴い、ネット経由で家庭内の電気製品を制御するシステムも種々検討され、実用化されている。
【０００５】
図４には、従来のこの種の携帯電話によるリモコン制御システムの代表的なシステム構成例が示されている。このシステムでは、ネットワーク（通信網）を介して、携帯電話による電気製品をリモコン制御する例である。
【０００６】
本システムでは、被制御装置としての家電製品１７をワイヤレスで制御するリモコン１６が家庭内に設置される。このリモコン１６をネットワーク経由で送出される制御信号により駆動、操作する。このネットワーク経由で送信される制御信号は、パソコン１４を介してリモコン１６に送出される。図４を参照して、より具体的に説明すると、携帯電話機１１から送出される制御信号は、ネットワーク（通信網）１２を経て家庭内に設置されたモデム１３で受信され、復調されてパソコン１４に送出される。パソコン１４とリモコン１６間は、ＲＳ２３２レベル変換のためのＲＳ２３２Ｃケーブル１５１またはＲＳ２３２Ｃ／ＵＳＢ変換用のＵＳＢケーブル１５２で接続され、パソコン１４で受信した制御信号は、ＲＳ２３２Ｃケーブル１５１またはＵＳＢケーブル１５２を経由してリモコン１６に送出される。こうして制御信号を受信したリモコン１６は、赤外線信号で被制御装置としての家電製品１７をリモコン制御する。リモコン１６には、リモコンの通常操作時のボタンが設けられている。
【０００７】
【発明が解決しようとする課題】
上述のように、ネットワーク経由で携帯電話機によるリモコン制御は、モデムを介してネットワークに接続されたパソコンの介在が必須であり、したがって、パソコンは電源オン状態とした上で、ネットワークに常時接続していなければならない。
【０００８】
その結果、ネットワークを介したリモコン制御には、パソコンをもたないユーザにとってはコスト面での問題がある。また、パソコンがネットワークに常時接続されているためウィルスやクラックによる被害を蒙る恐れがある。
【０００９】
そこで、本発明の目的は、パソコンの介在なしで直接的にリモコンを駆動、操作でき、コストが安い携帯電話によるリモコン制御システムを提供することにある。
【００１０】
本発明の他の目的は、ネットワーク経由でウィルスやクラックによる被害を蒙る恐れが全くない携帯電話によるリモコン制御システムを提供することにある。
【００１１】
【課題を解決するための手段】
前述の課題を解決するため、本発明による携帯電話によるリモコン制御システムは、次のような特徴的な構成を採用している。
【００１２】
（１）携帯電話から送出される被制御装置の制御信号を、ネットワークを介して前記被制御装置が設置されている被制御側のモデムで受信、復調し、
前記モデムにより復調された制御信号を、リモコン制御信号フォーマットに変換するアダプタを介してリモコンに送出し、
前記制御信号を受信したリモコンが前記被制御装置を制御する携帯電話によるリモコン制御システム。
【００１３】
（２）携帯電話から送出される被制御装置の制御信号を、ネットワークを介して前記被制御装置が設置されている被制御側のモデムで受信、復調し、
前記モデムにより復調された制御信号をハブとリモコン制御信号フォーマットに変換するアダプタを介してリモコンに送出し、
前記制御信号を受信したリモコンが前記被制御装置を制御するとともに、前記ハブにはパソコンが接続されている携帯電話によるリモコン制御システム。
【００１４】
（３）携帯電話から送出される被制御装置の制御信号を、ネットワークを介して前記被制御装置が設置されている被制御側のモデムで受信、復調し、
前記モデムにより復調された制御信号をハブとリモコン制御信号フォーマットに変換するアダプタを介してリモコンに送出し、
前記制御信号を受信したリモコンが前記被制御装置を制御するとともに、
前記アダプタには被制御装置／被監視装置が接続され、前記被制御装置／被監視装置の動作状態信号を前記ハブ、モデム及びネットワークを介して前記携帯電話に送出する携帯電話によるリモコン制御システム。
【００１５】
（４）前記ハブにはパソコンが接続されている上記（３）の携帯電話によるリモコン制御システム。
【００１６】
（５）前記リモコンからの制御信号は、赤外線信号や無線信号によるワイヤレス通信で行われる上記（１）乃至（４）のいずれかの携帯電話によるリモコン制御システム。
【００１７】
（６）前記携帯電話によりインターネットのＥＰＧ番組表提供サイトからＥＰＧ番組表データを取り込んでディスプレイに表示させ、表示されたＥＰＧ番組表から所望の番組を予約するための制御信号を送信し、前記制御信号により前記被制御装置としての録画装置を制御する上記（１）乃至（５）のいずれかの携帯電話によるリモコン制御システム。
【００１８】
（７）前記リモコンはタイマー機能を有する上記（１）乃至（６）のいずれかの携帯電話によるリモコン制御システム。
【００１９】
（８）前記リモコンは操作ロック機能を有し、前記操作ロック機能の動作時には、他のボタンを押すまでは制御信号を出力し続ける上記（１）乃至（７）のいずれかの携帯電話によるリモコン制御システム。
【００２０】
（９）前記アダプタは、ブラウザ機能を内蔵する上記（１）乃至（８）のいずれかの携帯電話によるリモコン制御システム。
【００２１】
【発明の実施の形態】
以下、本発明による携帯電話によるリモコン制御システムの好適実施形態例について添付図を参照して詳細に説明する。図１は、本発明による携帯電話によるリモコン制御システムの一実施形態を示すシステム構成図である。
【００２２】
本実施形態は、図４に示す従来の携帯電話によるリモコン制御システムのように、ネットワーク（通信網）を介して、携帯電話による電気製品をリモコン制御する例であるが、パソコンを介さずにモデムにリモコンを直結させている。
【００２３】
図１において、被制御装置としての家電製品７をワイヤレスで制御するリモコン５が、家電製品７との間でのワイヤレス通信可能な位置に配設される。ワイヤレス通信は、赤外線信号や無線信号を用いて行うことができる。
【００２４】
携帯電話機１から送出される制御信号は、ネットワーク（通信網）２を経由して家庭内に設置されたモデム３で受信、復調される。このモデム３とリモコン５とは、ＨＴＴＰフォーマットデータの変換を行う、すなわち、リモコン制御信号フォーマットに変換する、例えば、ＲＪ４５／ＲＳ２３２交換プラウザ組込ネットワークアダプタ等のアダプタ４により接続される。このアダプタ４は、ＬＡＮケーブルでモデム３とリモコン５間に接続される。こうして制御信号を受信したリモコン５は、赤外線信号で被制御装置としての家電製品７をリモコン制御する。このように、モデム３とリモコン５は、両者を整合接続するアダプタ４とＬＡＮケーブルにより接続されている。
【００２５】
リモコン５は、予め被制御製品としての家電製品をリモコン制御するためのリモコン信号が登録されており、ボタン５１の操作により当該リモコン信号を生成、出力する機能を有する。登録されていない被制御装置を制御する場合には、当該被制御装置用のリモコンからの発信制御信号を受信して登録する登録機能や被制御装置のリモコン制御信号を学習して得て登録する学習機能により制御信号を生成して利用する。こうしてボタン対応で登録された制御信号は、任意のボタンに登録可能で、登録された信号を他のボタンに移動、コピーも可能な構成である。
【００２６】
リモコン５の表面に設置、配置可能なボタン数には制約があり、一方、被制御装置の対象には限りがなく、登録を割り当てるボタン数にも制約が生ずることになる。そこで、本実施形態では、リモコン５にロータリーダイヤル５２を設けておき、このロータリーダイヤル５２の回転毎に異なるモード設定し、各モード毎にリモコン表面に配設されているボタンの制御信号の割り当てを異ならせている。こうすることにより、（リモコン表面の配設ボタン数）×（ロータリーダイヤル回転毎に設定されたモード数）の数だけ制御信号を割り当てるボタン数が存在することになり、対応可能な被制御装置数の著しい増加が可能となる。
【００２７】
上記の如く携帯電話によるリモコン制御システムにおいて、リモコン５によるリモコン制御が可能となるが、リモコンによるテレビの予約録画を実行する場合には、ＥＰＧ番組表を利用することにより、確実かつ迅速な予約録画リモコン制御が可能となる。ＥＰＧ番組表は、携帯電話によりインターネットのＥＰＧ番組表提供サイトに入り、ＥＰＧ番組表データを取り込んで、ディスプレイに表示される。表示されたＥＰＧ番組表をユーザが見てボタン操作により希望する番組を予約するための制御信号を送信する。
【００２８】
リモコン５にはタイマー機能を内蔵させておき、指定した時間になると一定時間、希望する被制御装置の制御信号を送出するようにすることができる。例えば、エアコンを所定時刻になったときにＯＮさせたいときには、所定時刻になった時点で当該制御信号を送出してリモコン制御することができる。
【００２９】
また、リモコン５にボタンロック機能をもたせておき、ボタンロック機能の動作時には、ボタンから手を離しても他のボタンを押すまでは信号を出力し続けることもできる。
【００３０】
以上説明したように、本実施形態では、コンピュータを介在させる必要がなく、コンピュータの常時接続が不要で、コンピュータウィルスやクラックによる被害の恐れがなくなる。
【００３１】
本実施形態は、標準イーサネットのインタフェースを搭載することにより、一般的なルータやＨＵＢに接続が可能であり、特別な装置を用意することなく、社内・家庭内ＬＡＮやＡＤＳＬ、ＩＳＤＮ、光ファイバ等での利用が可能である。
【００３２】
また、本実施形態は、インターネット常時接続回線に接続することにより、携帯電話やインターネットを利用して外出先からリモコン操作が可能となる。すなわち、外出先からインターネットを介してリアルタイムで照明機器等の被制御装置をリモコン制御可能なので、あたかもユーザが在宅であるかのようなシステム構築ができる。
【００３３】
帰宅前に自宅のエアコンを動作させれば夏でも冬でも快適な部屋環境が得られる。また、テレビの見たい番組の録画のし忘れやスポーツ中継の延長等で放送時間が変更になった際に外出先から録画設定を行うことができる。
【００３４】
図２は、本発明による携帯電話によるリモコン制御システムの他の実施形態を示すシステム構成図である。図２において、図１と同一符号が付与されている構成要素は、同様な機能を有する構成要素である。
【００３５】
本実施形態では、ネットワーク（通信網）２を経由して送出された携帯電話機１からの制御信号はモデム３で受信、復調され、ハブ６を介してアダプタ４及びＬＡＮケーブルに接続され、リモコン５に接続される。制御信号を受信したリモコン５は、赤外線信号で被制御装置としての家電製品７をリモコン制御する。
【００３６】
本実施形態では、また、ハブ６にはパソコン８が接続され、モデム３とパソコン８が接続される。パソコン８により各種の制御態様を生成することができる。
【００３７】
図３は、本発明による携帯電話によるリモコン制御システムの更に他の実施形態を示すシステム構成図である。
【００３８】
本実施形態は、プラウザ組込ネットワークアダプタ等のアダプタ４に設けられたＩ／Ｏポート９をハブ６とリモコン５の間に設け、Ｉ／Ｏポート９にはまた被制御装置／被監視装置１０が接続されている。被監視装置１０としては、部屋等の電子ロック、介護装置、防犯装置、火災報知器、照明、家電製品、風呂沸かし器等があり、これら装置の起動／停止（ＯＮ／ＯＦＦ）信号の入出力部がＩ／Ｏポート９に接続される。
【００３９】
かかるシステム構成により、被制御装置／被監視装置１０の動作状態が入出力部及びネットワークを介して携帯電話１に伝達され、スピーカからの音声又はディスプレイ表示によりユーザに告知される。このシステムは、図２の構成に加え、Ｉ／Ｏポート９を追加するだけでよく、低コストでシステム拡張ができ、非常に有用である。
【００４０】
本実施形態の用途としては、防犯・防災、介護における監視制御、家電製品や家の電子ロックの開閉制御等がある。例えば、防犯・防災では、防犯装置や火災報知器をＩ／Ｏポート９に接続しておき、当該装置が動作したときに動作信号をユーザの携帯電話に即座に通知することができ、外出中は勿論、就寝中でも携帯電話を枕元においておけば迅速な異常通知が可能になり、最小限の被害にとどめることができる。
【００４１】
また、介護装置や照明等をＩ／Ｏポート９に接続しているので、介護者や、お年寄りだけで住む家に本システムを設置しておけば、日々生活時の異常を確実且つ迅速に告知できる。
【００４２】
更に、赤外線リモコンを利用していない家電製品も、Ｉ／Ｏポート９に接続することにより動作状態を携帯電話で制御可能であるし、急に自宅に来客があった場合には、携帯電話から制御信号を送出して自宅の電子ロックを外して、来客を屋内に入ってもらい待機してもらうこともできる。
【００４３】
以上、本発明の携帯電話によるリモコン制御システムの好適実施形態例を説明したが、これは単なる例示にすぎず、特定用途に応じて種々の変形変更が可能であることは勿論である。
【００４４】
【発明の効果】
上述の如く、本発明の携帯電話によるリモコン制御システムによれば、携帯電話からネットワークを介して、パソコン不要でリモコンを直接操作可能となり、低コストでウィルスやクラックによる被害を蒙る恐れが全くない、という格別顕著な効果が得られる。
【図面の簡単な説明】
【図１】本発明の一実施形態による携帯電話によるリモコン制御システムのシステム構成図である。
【図２】本発明の他の実施形態による携帯電話によるリモコン制御システムのシステム構成図である。
【図３】本発明の更に他の実施形態による携帯電話によるリモコン制御システムのシステム構成図である。
【図４】従来の携帯電話によるリモコン制御システムのシステム構成図である。
【符号の説明】
１、１１      携帯電話機
２、１２      ネットワーク（通信網）
３、１３      モデム
４            アダプタ
５、１６      リモコン
６            ハブ
７、１７      被制御装置（家電製品）
８、１４      パソコン
９            Ｉ／Ｏポート
１０          被制御装置／被監視装置
５１          リモコン操作ボタン
５２          ロータリーダイヤル
【図１】
2005026953.tif 000003
【図２】
2005026953.tif 000004
【図３】
2005026953.tif 000005
【図４】
2005026953.tif 000006